(57)【要約】      （修正有）【課題】ネイルシールなどのフィルム状の爪用装飾部材とネイルストーンなどの立体状の爪用装飾部材とを組み合わせて貼付した実使用状態を購入時に確認でき、利用者の利便化を図った爪用装飾材セットを提供する。【解決手段】爪単位のネイルシール２を仮貼付したネイルシール用透明台紙４と、爪単位のネイルストーン３を仮貼付したネイルストーン用透明台紙５とを、重ねて固定用台紙１に固定し、この多層状態で、指表示部１ｃ，ネイルシール２およびネイルストーン３は親指，人差し指，中指，薬指，小指の各爪形状のセットを構成するように仮貼付した。【選択図】図２
0003188445.tif 000002
【実用新案登録請求の範囲】
【請求項１】
爪表面に貼付されるフィルム状の第１の爪用装飾材を仮固定した第１の台紙と、爪表面または当該第１の爪用装飾材のそれぞれに選択的に貼付される立体状の第２の爪用装飾材を仮固定した第２の台紙と、を有する爪用装飾材セットであって、
前記第１の爪用装飾材は、爪形状に対応した爪単位で仮固定されている、
ことを特徴とする爪用装飾材セット
【請求項２】
前記第２の台紙は、
前記第１の台紙の上に設定された透明台紙である、
ことを特徴とする請求項１記載の爪用装飾材セット。
【請求項３】
前記第１の爪用装飾材と前記第２の爪用装飾材とが爪形状に対応した爪単位で仮固定されている、
ことを特徴とする請求項２記載の爪用装飾材セット。
【請求項４】
前記爪用装飾材セットは、前記第１の台紙および前記第２の台紙を固定するための固定用台紙を備えた、
ことを特徴とする請求項１乃至３のいずれかに記載の爪用装飾材セット。
【請求項５】
前記固定用台紙は、
二つ折りの内側に前記第１の台紙および前記第２の台紙を取り付けて、かつ上側の折り部に、前記第１の爪用装飾材および第２の爪用装飾材を二つ折りの状態で観察するための窓部を有する、
ことを特徴とする請求項４記載の爪用装飾材セット。
【考案の詳細な説明】
【技術分野】
【０００１】
本考案は、手もしくは足の爪に貼付するネイルシールやネイルストーンなどのネイルアート用の爪用装飾材が、その種類ごと別々に仮固定される複数の各台紙を一つにまとめて収容した爪用装飾材セットに関する。
【０００２】
特に、もっぱら爪表面に貼付されるネイルシールなどの第１の爪用装飾材と、爪表面のみならずこのネイルシール自体にも貼付されえるネイルストーンなどの第２の爪用装飾材と、をバラにせずに、一セットとした爪用装飾材に関する。
【０００３】
また、あらかじめ爪に固定するための粘着層を裏面側に設けた爪用装飾材を、剥離台紙に仮貼付して配置し、利用者が購入時に爪用装飾材の外観を表面側から確認できるようにした爪用装飾材セットに関する。
【０００４】
本明細書の「爪」には、指にはえているままの生爪およびこれに設けるつけ爪（ネイルチップ，スカルプチュアなど）の両者が含まれる。
【背景技術】
【０００５】
手または足の生爪への化粧方法として、特定の色彩や光沢を与えるための塗料を塗布して装飾するマニキュアやペディキュアが一般的に行われてきた。そして近年、複数色での塗り分けや模造宝石・模造真珠などの貼付により高いオリジナル性や装飾効果をもとめるネイルアートが行われている。
【０００６】
このようなネイルアートに使う爪用装飾材は、同種のものを複数個まとめた爪用装飾材セット（特許文献１〜３参照）として販売されている。
【０００７】
利用者は必要な爪用装飾材セットを購入し、それらを爪に組み合わせて貼付して好みのネイルアートを施している。
【０００８】
爪用装飾材としては、表面に模様や色彩が施され、裏面に粘着層が設けられたフィルム状のネイルシールがよく用いられる。このネイルシールは爪に貼付するだけで、手間のかかる塗り分けやぼかしなどを必要とせずに塗装のような高い装飾性効果を得ることができる。
【０００９】
このネイルシールは薄いので、これを爪に貼付した上にさらに塗装を施したり、また別のネイルシールやその他各種の爪用装飾材を重ねて貼付したりして、より高いオリジナル性や装飾効果を得ることができる。
【００１０】
その他の爪用装飾材としては、模造宝石（ガラスストーン，アクリルストーン）・模造真珠（パールストーン）・模造貴金属粒（ブリオン）などのような一般的にネイルストーンと呼ばれる立体的なものがよく用いられる。これらは、フィルム状のネイルシールだけでは得られにくい、立体的な外観や光の反射・屈折などの見る方向によって変化する装飾効果を有している。
【００１１】
ネイルシールおよびネイルストーンを組み合わせて使用するときには、ネイルシールの上にネイルストーンを重ねて貼付する方法がよく用いられている。
【先行技術文献】
【特許文献】
【００１２】
【特許文献１】特開２００１−１５７６０７号公報
【特許文献２】特開２００４−２９２７６８号公報
【特許文献３】実用新案登録第３１８０７０７号公報
【考案の概要】
【考案が解決しようとする課題】
【００１３】
このような従来の爪用装飾材セットでは、利用者は自ら希望する組合せのネイルシールセットとネイルストーンセットとをそれぞれ個別に購入しなければならなかった。
【００１４】
また、ネイルシールセットとネイルストーンセットとが別々になっているため、利用者が購入時にネイルシールとネイルストーンとを組み合わせて貼付した実使用状態を想像しにくい、といった問題があった。
【００１５】
また、個々の爪用装飾材セットは、包装される爪用装飾材の数量が、他の爪用装飾材セットと組み合わせて使用されたときのことを前提としているのではなく、一般にパッケージサイズや販売単価にあわせて設定されているので、例えば希望する一組の爪用装飾材の一方に余りがでて無駄になる、といった問題があった。
【００１６】
そこで本考案では、ネイルアートでよく組み合わせられるネイルシールなどの爪単位のフィルム状の爪用装飾材とネイルストーンなどの立体状の爪用装飾材とを、あらかじめセットとして提供して、利用者の利便化を図ることを目的とする。
【００１７】
また、フィルム状の爪用装飾材と立体状の爪用装飾材とを重ねた状態で爪形状（親指，人差し指，中指，薬指，小指の各爪形状）に対応した爪単位に仮貼付するようにして、爪にそれらの爪用装飾材を組み合わせて貼付した時の実使用状態を購入時に確認できるようにして、利用者の利便化を図ることを目的とする。
【００１８】
また、利用者に人気のある特定のネイルシールおよび特定のネイルストーンを組合せて用いることを前提として、それぞれ爪に貼付するのに必要な数量を一つの爪用装飾材セットに設定しているので、利用者が当該爪用装飾材セットを使用したときに爪用装飾材が余ることを防止できる、
【課題を解決するための手段】
【００１９】
本考案は、以上の課題を次のようにして解決する。
（１）爪表面に貼付されるフィルム状の第１の爪用装飾材（例えば後述のネイルシール２）を仮固定した第１の台紙（例えば後述のネイルシール用透明台紙４）と、爪表面または当該第１の爪用装飾材のそれぞれに選択的に貼付される立体状の第２の爪用装飾材（例えば後述のネイルストーン３）を仮固定した第２の台紙（例えば後述のネイルストーン用透明台紙５）と、を有する爪用装飾材セットであって、
前記第１の爪用装飾材は、爪形状に対応した爪単位で仮固定されている、
構成態様のものを用いる。
（２）上記（１）において、
前記第２の台紙は、
前記第１の台紙の上に設定された透明台紙である、
構成態様のものを用いる。
（３）上記（２）において、
前記第１の爪用装飾材と前記第２の爪用装飾材とが爪形状に対応した爪単位で仮固定されている、
構成態様のものを用いる。
（４）上記（１）〜（３）において、
前記爪用装飾材セットは、前記第１の台紙および前記第２の台紙を固定するための固定用台紙（例えば後述の固定用台紙１）を備えた、
構成態様のものを用いる。
（５）上記（４）において、
前記固定用台紙は、
二つ折りの内側に前記第１の台紙および前記第２の台紙を取り付けて、かつ上側の折り部に、前記第１の爪用装飾材および第２の爪用装飾材を二つ折りの状態で観察するための窓部（例えば後述の窓部１ａ）を有する、
構成態様のものを用いる。
【００２０】
このような構成からなる爪用装飾材セットを本考案の対象としている。
【考案の効果】
【００２１】
本考案は以上の課題解決手段により、
(11)ネイルシールなどのフィルム状の爪用装飾部材とネイルストーンなどの立体状の爪用装飾部材とを組み合わせて使用する場合に、それぞれの爪用装飾部材を個別に購入する必要がなく、
(12)購入前に、爪にそれらの爪用装飾材を組み合わせて貼付した実使用状態を確認できる、
(13)利用者に人気のある特定のネイルシールおよび特定のネイルストーンを組合せて用いることを前提として、それぞれ爪に貼付するのに必要な数量を一つの爪用装飾材セットに設定しているので、利用者が当該爪用装飾材セットを使用したときに爪用装飾材が余ることがない、
などの効果を奏する。
【図面の簡単な説明】
【００２２】
【図１】爪用装飾材セット（その１）の外観を示す説明図である。
【図２】図１の爪用装飾材セットの関連構成を示す図である。
【図３】図１とは別の爪用装飾材セット（その２）の外観を示す説明図である。
【図４】図３の爪用装飾材セットの関連構成を示す図である。
【考案を実施するための形態】
【００２３】
図１〜図４を用いて本考案を実施するための形態を説明する。
【００２４】
各図で用いるアルファベット付き参照番号の構成要素（例えば窓部１ａ）は原則として、当該参照番号の数字部分の構成要素（例えば固定用台紙１）の一部であることを示している。
【００２５】
図１〜図４において、
１は、後述のネイルシール用透明台紙４およびネイルストーン用透明台紙５を内側に挟み、上部に折り部を有する二つ折り形状の固定用台紙，
１ａは、当該固定台紙の二つ折り部分の前側に設けられた窓部，
１ｂは、当該固定台紙の上部に設けられた吊下げ用孔部，
１ｃは、当該固定台紙の二つ折り部分の後側表面に形成されて、それぞれ左手および右手の各指を表す上下二段の指表示部（図１および図２），
２は、表面側に模様や色彩などを有し、裏面側に粘着層を設けた、柔軟なフィルム状のネイルシール，
３は、立体的な粒状物を備え、裏面側に粘着層を設けたネイルストーン，
４は、仮貼付したネイルシール２を保持し、固定用台紙１の二つ折り部分の内側に保持されるフィルム状のネイルフィルム用透明台紙，
４ａは、当該ネイルシール用透明台紙の裏面上端の中央部であって両面粘着テープ片を介して固定用台紙１に貼付されるネイルシール対応固定部，
５は、仮貼付したネイルストーン３を保持し、固定用台紙１の二つ折り部分の内側に保持されるフィルム状のネイルストーン用透明台紙，
５ａは、当該ネイルストーン用透明台紙の裏面上端の中央部であって両面粘着テープ片を介してネイルシール用透明台紙４に貼付されるネイルストーン対応固定部，
６は、下端に開口部を有し、固定用台紙１を格納する包装用透明袋（図１，図３），
６ａは、粘着層を備え、折り返して当該包装用透明袋の下端開口部を封止するためのベロ部，
６ｂは、吊下げ用孔部１ｂに対応する孔部，
をそれぞれ示している。
【００２６】
ここで、固定用台紙１は例えば紙製またはプラスチック製のものである。ネイルシール用透明台紙４，ネイルストーン用透明台紙５および包装用透明袋６は例えばポリプロピレン，ポリエチレンテレフタレート，ポリエチレンなどからなるプラスチック製のものである。
【００２７】
ネイルシール２は、柔軟なフィルム状の爪用装飾材であって、樹脂や紙などの基材の表面側に模様や色彩などを施し、裏面側に粘着層を設けたものである。模様や色彩は、印刷，塗装，紛体の接着などによって施されている。
【００２８】
ネイルストーン３は、立体状の爪用装飾材であって、宝石や宝玉の模造品（ガラス製や合成樹脂製），金属光沢を有する粒子，パール光沢を有する粒子や、これらを組み合わせて固定材で一体化したものなどの裏面側に粘着層を設けたものである。
【００２９】
図示の爪用装飾材セットの基本的特徴は、
(21)爪表面に貼付される複数のネイルシール２を有するネイルシール用透明台紙４と、爪表面およびネイルシール２の表面のそれぞれに貼付されえる複数のネイルストーン３を有するネイルストーン用透明台紙５とをセットし、このセット状態で、固定用台紙１の窓部１ａを介して「指表示部１ｃ＋ネイルシール２＋ネイルストーン３」のいわば多層状態を表面側から観察でき、
(22)ネイルシール用透明台紙４，ネイルストーン用透明台紙５の付替えにより、「指表示部１ｃ＋ネイルシール２」の多層状態や「指表示部１ｃ＋ネイルストーン３」の多層状態を個々にその表面側から観察できること、
などである。
【００３０】
図示の爪用装飾材セットの組立て手順は例えば、図２または図４のように、
(31)ネイルシール用透明台紙４，ネイルストーン用透明台紙５に、それぞれネイルシール２，ネイルストーン３を爪形状に対応した爪単位で仮貼付する、
(32)ネイルシール用透明台紙４，ネイルストーン用透明台紙５の各固定部４ａ，５ｂに、両面テープ片を貼付し、
(33)固定用台紙１の二つ折り部分を開いた状態で、当該二つ折り部分の後側表面に、ネイルシール対応固定部４ａの両面テープ片でネイルシール用透明台紙４を貼付し、
(34)このネイルシール用透明台紙４の上（前面側）に、ネイルストーン対応固定部５ａの両面テープ片でネイルストーン用透明台紙５を貼付し、
(35)固定用台紙１を二つ折りにして、図１または図３のように包装用透明袋６の下部から挿入し、ベロ部６ａを折り返して封止する、
といった作業となる。
【００３１】
図１，図２の実施例は、小さなシールを一つの爪に対して５〜８枚貼付するタイプのネイルシール２と、複数のストーンを一体化しそれを一つの爪に対して一つまたは二つ貼付するタイプのネイルストーン３とを組み合わせて一つにした爪用装飾材セットを示している。
【００３２】
この爪用装飾材セットでは、ネイルシール２は手の指すべてに対応する１０セットがネイルシール用透明台紙４上に仮貼付され、ネイルストーン３は爪単位で手の指すべてに対応する１０セットがネイルストーン用透明台紙５上に仮貼付されている。
【００３３】
そして、指表示部１ｃ，ネイルシール２およびネイルストーン３は、重ねた状態で爪形状に対応した爪単位となるように仮貼付されている。
【００３４】
そのため、利用者は窓部１ａから、爪形状に対応した爪単位で組み合わされた指表示部１ｃ，ネイルシール２およびネイルストーン３の全体を観察し、爪に貼付した時の実使用状態を確認してから爪用装飾材セットを購入することができる。
【００３５】
図３，図４の実施例は、爪幅に対応するシールを一つの爪に対して一枚貼付するタイプのネイルシール２と、複数のストーンを一体化しそれを一つの爪に対して一つまたは二つ貼付するタイプのネイルストーン３とを組み合わせて一つにした爪用装飾材セットを示している。
【００３６】
この爪用装飾材セットでは、ネイルシール２は手の指すべてに一対一で対応する１０枚がネイルシール用透明台紙４上に仮貼付され、ネイルストーン３は爪単位で手の指すべてに対応する１０セットがネイルストーン用透明台紙５上に仮貼付されている。
【００３７】
そして、ネイルシール２およびネイルストーン３は、重ねた状態で爪形状に対応した爪単位となるように仮貼付されている。
【００３８】
そのため、利用者は窓部１ａから、爪形状に対応した爪単位で組み合わされたネイルシール２およびネイルストーン３の全体を観察し、爪に貼付した時の実使用状態を確認してから爪用装飾材セットを購入することができる。
【００３９】
なお、爪幅に対応するネイルシール２が、図１，図２の指表示部１ｃの役割を兼ねているので、図３，図４の固定用台紙１には当該指表示部が省略され設けられていない。
【００４０】
本考案が以上の実施形態に限定されないことは勿論であり例えば、
(41)ネイルシール用透明台紙４を省略し、固定用台紙１に対してネイルシール２を仮貼付する、
(42)ネイルシール用透明台紙４を不透明な台紙にする、
(43)上記(42)の場合において、当該不透明な台紙に指表示部１ｃを設ける、
(44)ネイルシール用透明台紙４を、固定用台紙１とネイルストーン用透明台紙５との間に複数枚設ける、
(45)ネイルストーン３の代わりに、人形，花などの立体状樹脂成形物を使用する、
(46)ネイルシール用透明台紙４やネイルストーン用透明台紙５の固定方法として、両面粘着テープ片に代え、接着剤による接着、ステープラ止め、切り込み部と差し込み部の組合せ、などを用いる、
(47)ベロ部６ａの代わりに、包装用透明袋６の開口部を熱溶着で封止する、
(48)吊下げ用孔部１ｂの代わりに、別途フックを固定用台紙１に取り付ける、
ようにしてもよい。
【符号の説明】
【００４１】
１：固定用台紙
１ａ：窓部
１ｂ：吊下げ用孔部
１ｃ：指表示部
２：ネイルシール
３：ネイルストーン
４：ネイルシール用透明台紙
４ａ：ネイルシール対応固定部
５：ネイルストーン用透明台紙
５ａ：ネイルストーン対応固定部
６：包装用透明袋
６ａ：ベロ部
６ｂ：孔部
【図１】
0003188445.tif 000003
【図２】
0003188445.tif 000004
【図３】
0003188445.tif 000005
【図４】
0003188445.tif 000006